(57)【要約】      （修正有）【課題】触媒ブロックの設置時間を短縮可能な脱硝反応器の提供。【解決手段】直方体に形成された複数の触媒ブロック１と、触媒ブロック１が設置される短形平面の支持棚３と、支持棚３の側縁に設けられた側壁５とを備え、側壁５は、触媒ブロック１を搬送するフォークリフト９が出入りする開口１１を有し、触媒ブロック１は、触媒ブロック１の底部の長手方向に前記フォークリフト９の２つの爪を差し込む差込口１３が配設され、支持棚３は、フォークリフト９が走行可能に梁１５上に厚板１７又はグレーチング１９を設置して形成され、支持棚３の開口１１に対して直交方向に延在する第１の領域２１には、触媒ブロック１が長手方向を開口１１面に平行に配列され、支持棚２の第１の領域２１以外の第２の領域２３には、触媒ブロック１が長手方向を第１の領域２１の触媒ブロック１の長手方向に直交させて配列されている。【選択図】図１
2007160224.tif 000002
【特許請求の範囲】
【請求項１】
直方体に形成された複数の触媒ブロックと、前記触媒ブロックが設置される短形平面の支持棚と、前記支持棚の側縁に設けられた側壁とを備え、
前記側壁は、前記触媒ブロックを搬送するフォークリフトが出入りする開口を有し、
前記触媒ブロックは、前記触媒ブロックの底部の長手方向に前記フォークリフトの２つの爪を差し込む差込口が配設され、
前記支持棚は、前記フォークリフトが走行可能に梁上に厚板又はグレーチングを設置して形成され、前記支持棚の前記開口に対して直交方向に延在する第１の領域には、前記触媒ブロックが長手方向を前記開口面に平行に配列され、前記支持棚の前記第１の領域以外の第２の領域には、前記触媒ブロックが長手方向を前記第１の領域の触媒ブロックの長手方向に直交させて配列されていることを特徴とする脱硝反応器。
【請求項２】
前記触媒ブロックは、長手方向と短手方向の寸法比が、２対１であることを特徴とする請求項１に記載の脱硝反応器。
【請求項３】
前記梁は、前記触媒ブロックの長手方向の両端の位置に設けられていることを特徴とする請求項１又は２に記載の脱硝反応器。
【発明の詳細な説明】
【技術分野】
【０００１】
本発明は、排煙脱硝装置に関する。
【背景技術】
【０００２】
発電用ボイラ等から排出された排ガス中の窒素酸化物(ＮＯｘ)を除去するために、還元剤であるアンモニアを注入して排ガスと充分に混合した後に、脱硝触媒を用いて以下の反応式に示すような脱硝反応を行っている。
４ＮＯ  ＋  ４ＮＨ３  ＋  Ｏ２  →  ４Ｎ２  ＋  ６Ｈ２Ｏ
６ＮＯ２  ＋  ８ＮＨ３  →  ７Ｎ２  ＋  １２Ｈ２Ｏ
このため、ボイラに設置される排煙脱硝装置は、炭素鋼で製作された枠に脱硝触媒を担持した触媒ユニットを収容した触媒ブロックを短形平面の支持棚に配列して脱硝反応器が形成されている。
【０００３】
触媒ブロックは、ボイラ燃焼調整完了後に、支持棚に配列して使用される。また、配列した触媒ブロックの触媒性能が低下した場合には、運転終了後に、追加若しくは交換することにより性能回復を図っている。
【０００４】
近年の電力需要の増加より、発電用ボイラを含む設備では高稼動率を確保するために、触媒ブロックの交換時におけるボイラ停止期間の大幅な短縮が必要とされている。このため、触媒ブロックの設置時間を短縮することで稼働時間を確保することが考えられている。
【０００５】
例えば、特許文献１には、直方体に形成された触媒ブロックを運搬用枠等によって電気ホイストに固定して、入口からレールに沿って脱硝反応器内に搬入した後、横方向に延在するレールに移し換えて平面形状に配列することが記載されている。
【０００６】
また、特許文献２には、直方体に形成された触媒ブロックを運搬用枠等によって電気ホイストに固定して、入口からレールに沿って脱硝反応器内に搬入した後、移動用台車に乗せ換えて横方向に移動して、平面形状に配列することが記載されている。
【０００７】
【特許文献１】特開昭５８−８８０２５号公報
【特許文献２】特開昭６２−１０６８２５号公報
【発明の開示】
【発明が解決しようとする課題】
【０００８】
しかし、電気ホイストを用いると、運搬用枠等に触媒ブロックを固定するための時間を要する。また、搬送過程で、別のレールあるいは台車に触媒ブロックを積み替えするための時間も要する。これらのことから、多数の触媒ブロックを脱硝反応器に設置するための時間がかかり、脱硝反応器の稼動時間が制約されるという問題がある。
【０００９】
本発明は、触媒ブロックを脱硝反応器に設置する時間を短縮することを課題とする。
【課題を解決するための手段】
【００１０】
本発明の脱硝反応器は、直方体に形成された複数の触媒ブロックと、前記触媒ブロックが設置される短形平面の支持棚と、前記支持棚の側縁に設けられた側壁とを備え、前記側壁は、前記触媒ブロックを搬送するフォークリフトが出入りする開口を有し、前記触媒ブロックは、前記触媒ブロックの底部の長手方向に前記フォークリフトの２つの爪を差し込む差込口が配設され、前記支持棚は、前記フォークリフトが走行可能に梁上に厚板又はグレーチングを設置して形成され、前記支持棚の前記開口に対して直交方向に延在する第１の領域には、前記触媒ブロックが長手方向を前記開口面に平行に配列され、前記支持棚の前記第１の領域以外の第２の領域には、前記触媒ブロックが長手方向を前記第１の領域の触媒ブロックの長手方向に直交させて配列されていることを特徴とする。
【００１１】
これによれば、フォークリフトにより、触媒ブロックを脱硝反応器内に、直接搬入することができ、奥側から順番に配列することができる。その間、積み替えが必要ないから、触媒ブロックの設置時間を短縮できる。
【００１２】
ところで、フォークリフトによって触媒ブロックを設置していくにつれて、フォークリフトが旋回できるスペースが無くなり、支持棚の全域に隙間無く設置するのが困難になる。そこで、開口に対して直交方向に延在する第１の領域に設置する触媒ブロックの向きを、長手方向が開口面に平行に設置するようにしているから、フォークリフトの走行方向に触媒ブロックの長手方向を直交させて設置することにより、直進走行操作のみで、第１の領域に隙間無く触媒ブロックを設置することができる。
【発明の効果】
【００１３】
本発明によれば、触媒ブロックを脱硝反応器に設置する時間を短縮することができる。
【発明を実施するための最良の形態】
【００１４】
以下、図１乃至図３を用いて、本発明の一実施形態の脱硝反応器を説明する。図１は、本実施形態の脱硝反応器内に触媒ブロックを設置している様子を上から見た図である。図２は、本実施形態の脱硝反応器内に触媒ブロックを設置している様子を横方向から見た図である。図３は、本実施形態の脱硝反応器の支持棚に触媒ブロックが設置された状態の一部を示す図である。
【００１５】
図１、２に示すように、本実施形態の脱硝反応器は、触媒ブロック１が設置される短形平面の支持棚３が設けられ、支持棚３の側縁に側壁を形成するケーシング５が設けられている。ケーシング５には、触媒搬入用通路７から触媒ブロック１を搬送するフォークリフト９が搬出入する出入口１１が設けられている。支持棚３は、フォークリフト９が走行可能なように、受梁１５間に厚板１７又はグレーチング１９を設置して形成されている。触媒ブロック１は、図３に示すように、直方体であり、底部の長手方向にフォークリフト９の２つの爪を２つの開口に差し込む差込口１３が離して配設されている。なお、差込口１３は、フォークリフト９の２つの爪が差し込める１つの開口にしてもかまわない。
【００１６】
支持棚３の受梁１５は、触媒ブロック１の長手方向の両端を支持するように、所定のピッチで設けられている。すなわち、出入口１１に対して直交方向に延在する領域２１には、触媒ブロック１が長手方向を出入口１１の開口面に平行に設置するように受梁１５が設けられている。また、領域２１以外の領域２３には、触媒ブロック１が長手方向を領域２１の触媒ブロック１の長手方向に直交させて設置するように受梁１５が設けられている。
【００１７】
また、本実施形態の触媒ブロック１は、長手方向と短手方向の寸法比が２対１になるように形成されている。例えば、触媒ブロック１のサイズは、幅約２メートルで長さ約1メートルに形成することができる。このような触媒ブロック１は、正方体の触媒ユニットを２個並べて実現できる。
【００１８】
次に、本実施形態の触媒ブロック１の設置手順について説明する。触媒搬入用通路７で触媒ブロック１を積載したフォークリフト９は、出入口１１から支持棚３に進入して、領域２１をまっすぐ進んだ後、出入口１１から一番奥に到着すると矢印Ａに示すように９０°旋回して領域２３に進入し、受梁１５に長手方向の両端が架かるように触媒ブロック１を設置する。この操作を繰り返して、領域２３を触媒ブロック１で満たした後に、フォークリフト９の向きを変えずに、受梁１５に長手方向の両端が架かるように、領域２１の奥に触媒ブロック１を設置する。この操作を繰り返し、領域２１を触媒ブロック１で満たす。このため、フォークリフト９の直進走行操作のみで、領域２１に隙間無く触媒ブロック１を設置することができる。
【００１９】
このようにして、領域２１には、触媒ブロック１が長手方向を出入口１１の開口面に平行になるように設置され、領域２３には、触媒ブロック１が長手方向を領域２１の触媒ブロック１の長手方向に直交させて設置される。
【００２０】
この操作を奥から順番に繰り返し、支持棚３が触媒ブロック１で満たされると、出入口１１を閉じる等の復旧作業を行う。なお、本実施形態において、排ガスは、支持棚３に対して直交する方向に流れることから、受梁１５間に厚板１７を設置している場合には、触媒ブロック１の設置後、厚板１７は撤去される。
【００２１】
上記の手順で、領域２１に設置される触媒ブロック１は、長手方向を出入口１１の開口面に平行になるように設置されるから、短手方向に差込口１３を配設する必要がなくなる。よって、長手方向に差込口１３を配設する触媒ブロック１に統一できるから、触媒ブロック１の取り扱いを容易にでき、作業の効率化を図り設置時間を短縮できる。また、領域２１に触媒ブロック１を設置する際、本実施形態の触媒ブロック１は長手方向と短手方向の寸法比が２対１だから、触媒ブロック１の短手方向を２個並べた寸法は触媒ブロック１の長手方向の寸法と同じになり、各列から触媒ブロック１がはみ出すことはなく、設置作業を妨げない。また、触媒ブロック１を隙間無く設置できるから、各触媒ブロック１間の空間に対してガスパス防止等の処置をする必要がなくなる。
【００２２】
また、出入口１１は一箇所に設ければよく、開口部の確保及び充填後の復旧に必要な時間を短縮できる。また、触媒ブロック１の追加、又は交換等を行う場合に、領域２１の設置した触媒ブロック１を取り除くだけで、作業空間を確保できる。
【００２３】
したがって、脱硝触媒の設置時間の大幅な短縮が可能となり、脱硝触媒交換等におけるボイラ停止期間の大幅な短縮が図れることから、発電用ボイラ設備における高稼動率要求を満たし、近年の電力需要のひっ迫を緩和することができる。
【００２４】
また、本実施形態では、最小旋回半径が小さいフォークリフト９を使用することが好ましい。なお、フォークリフト９の代わりに、触媒ブロック１の積載が容易で、少ない面積で旋回又は回転できる作業車を使用してもかまわない。
【図面の簡単な説明】
【００２５】
【図１】本実施形態の脱硝反応器内に触媒ブロックを設置している様子を上から見た図である。
【図２】本実施形態の脱硝反応器内に触媒ブロックを設置している様子を横方向から見た図である。
【図３】本実施形態の脱硝反応器の支持棚に触媒ブロックが設置された状態の一部を示す図である。
【符号の説明】
【００２６】
１  触媒ブロック
３  支持棚
５  ケーシング
７  触媒搬入用通路
９  フォークリフト
１１  出入口
１３  差込口
１５  受梁
１７  厚板
１９  グレーチング
２１、２３  領域
【図１】
2007160224.tif 000003
【図２】
2007160224.tif 000004
【図３】
2007160224.tif 000005